(57)【要約】【課題】  玩具銃の着脱式弾倉に弾丸を装填するとき、弾押し部材の操作部を押し下げ、そのまま押さえ付けて制止・保持し続けやすいように、操作部に引っ掛けることができる突起を設けた器具本体を手指に装着することができるようにした、玩具銃の着脱式弾倉への弾丸の装填を容易にする器具を提供する。【解決手段】  弾押し部材（６）の操作部（７）に引っ掛ける突起を設けた器具主体部（１）に、手指にかける紐体（２）を設け、手指にかけた紐体（２）が手指から抜けないように、紐体（２）上を摺動し、駐止位置にて紐体（２）の締め付け固定とその固定の解除が可能な締め付け具（３）を設けた器具を特徴とする。【選択図】図３
2017129342.tif 000002
【特許請求の範囲】
【請求項１】
弾押し部材（６）の操作部（７）に引っ掛ける突起を設けた器具主体部（１）に、手指にかける紐体（２）を設け、手指にかけた紐体（２）が手指から抜けないように、紐体（２）上を摺動し、駐止位置にて紐体（２）の締め付け固定とその固定の解除が可能な締め付け具（３）を設けた、玩具銃の着脱式弾倉（１２）への弾丸の装填を容易にする器具。
【請求項２】
前記弾押し部材（６）の操作部（７）に引っ掛ける突起を設けた器具主体部（１）に、手指の長さや大きさに合わせて、手指にかける紐体（２）の設ける位置を変更するため、複数の穿設した貫通孔（４）を形成した請求項１に記載の玩具銃の着脱式弾倉（１２）への弾丸の装填を容易にする器具。
【発明の詳細な説明】
【技術分野】
【０００１】  この発明は、玩具銃の着脱式弾倉への弾丸の装填を容易にする器具に関するものである。
【背景技術】
【０００２】  従来、弾倉の弾倉内に複数個の弾丸を装填し、この弾倉を銃本体に装着して弾丸を連続的に発射させる玩具銃が知られている。
したがって、弾丸を装填している弾倉を多数用意すれば、弾倉を次々に取り替えて銃本体に装着することにより、用意した分連続して多数の弾丸を発射することができる。
そして、これらの玩具銃の弾倉では、弾倉の長手方向に沿って直線的に構成された弾丸収納路にコイルバネと弾押し部材が内嵌されており、弾丸収納路に装填された弾丸をコイルバネで付勢して、上側の銃本体へ送り出すようになっている。
また、弾丸収納路に沿った壁面にはスリットが形成されており、弾押し部材の側部に付設された操作部が外部に露出せしめられている。
その操作部を指で押し下げると弾押し部材がコイルバネを圧縮しながら下方へ移動するが、圧縮限まで移動させた状態における弾押し部材の位置よりも、上側の位置に、弾丸収納路へ通じる弾丸装填孔が形成されており、すなわち、操作部を指で押し下げ、弾押し部材をコイルバネの圧縮限まで移動させた状態で制止・保持し、この弾丸装填孔から弾丸収納路に弾丸を装填するようになっている。
【先行技術文献】
【特許文献】
【０００３】
【特許文献１】  特開２００３−３４３９９７号公報
【発明の概要】
【発明が解決しようとする課題】
【０００４】  これは次のような欠点があった。
（イ）操作部を手指の指先で押し下げ、弾押し部材をコイルバネの圧縮限まで移動させ      るには、コイルバネの復元力に負けないように指先に力をいれて押さえ付ける必要      があり、したがって、指先が痛かった。
また手指の力が弱い人にはコイルバネの圧縮限まで移動させることが困難だった      。
（ロ）操作部を手指の爪先で引っ掛けて押し下げると、爪を痛めたり、爪をはがしてし      まうことがあった。
（ハ）操作部を手指の指先で押し下げ、弾押し部材をコイルバネの圧縮限まで移動させ      て制止・保持するためには、バネの復元力に負けないように指先に力をいれて押さ      え付け続ける必要があったため、弾丸を装填する弾倉が複数あると、次第に指先に      力が入らなくなり、コイルバネの圧縮限の位置で押さえ付けて制止・保持し続ける      ことができなかった。
（ニ）操作部が小さいため、手袋をした手指の指先で、操作部を押し下げ、弾押し部材      をコイルバネの圧縮限まで移動させて制止・保持することが容易ではなかった。
（ホ）本発明は、前記（イ）、（ロ）、（ハ）、（ニ）、のような欠点をなくすために      なされたものである。
【課題を解決するための手段】
【０００５】  弾押し部材（６）の操作部（７）に引っ掛ける突起を設けた器具主体部（１）に、手指にかける紐体（２）を設け、手指にかけた紐体（２）が手指から抜けないように、紐体（２）上を摺動し、駐止位置にて紐体（２）の締め付け固定とその固定の解除が可能な締め付け具（３）を設ける。
ところで、弾押し部材（６）の操作部（７）に引っ掛ける突起を設けた器具主体部（１）に、複数の穿設した貫通孔（４）を設けておくことも可能であり、手指の長さや大きさに合わせて、手指にかける紐体（２）を設ける位置を変更する場合に便利である。
なお、紐体（２）には、紐体（２）上を摺動し、駐止位置にて紐体（２）の締め付け固定とその固定の解除が可能な締め付け具（３）の、紐体（２）からの抜けを防止するために結び目（５）を設けておくとよく、結び目（５）の代りに締め付け具（３）の紐体（２）から抜けを防止するストッパーを取り付けてもよい。
本発明は、以上の構成よりなる玩具銃の着脱式弾倉への弾丸の装填を容易にする器具である。
【発明の効果】
【０００６】  （イ）紐体で手指に締め付けて装着した器具主体部の突起を操作部に引っ掛けて、手指      全体で押し下げるため、手指の指先で押さえ付ける力が軽く済み、コイルバネの復      元力に負けないように指先に力をいれる必要が無くなり、したがって、指先も痛く      ない。
また、手指の力が弱い人はバネを押さえ付ける力が軽く済み、コイルバネを圧縮      限まで移動させることが容易になる。
（ロ）操作部を手指の爪先で引っ掛けて押し下げる必要が無くなり、したがって、爪を      痛めたり、爪をはがしてしまうことが無くなる。
（ハ）コイルバネの圧縮限まで移動させた操作部を、軽い力で押さえ付けて制止・保持      することができるようになるため、コイルバネの復元力に負けないように指先に力      をいれて押さえ付け続ける必要が無くなり、弾丸を装填する弾倉が複数あっても、      次第に指先に力が入らなくなることが無く、コイルバネの圧縮限の位置で操作部を      押さえ付けて制止・保持し続けることができる。
（ニ）手袋をしていても、その上から紐体で手指に締め付けて装着した器具主体部の突      起を操作部に引っ掛けて使用すれば、操作部が小さくても、操作部を引っ掛けて押      し下げることができ、また、弾押し部材をコイルバネの圧縮限まで移動させてから      制止・保持することも容易になる。
（ホ）器具が簡単で小さいので、手指の指に装着したままでも他の器具を握って使うこ      とができ、紐体で手指から抜けないように締め付けて装着するため紛失する恐れも      無い。
【図面の簡単な説明】
【０００７】
【図１】  本発明の斜視図である。
【図２】  本発明を手指に取り付けた状態を示した斜視図である。
【図３】  本発明を手指に取り付け、玩具銃の着脱式弾倉の弾押し部材の操作部を押し下げて制止・保持している状態を示した斜視図である。
【発明を実施するための形態】
【０００８】  以下、本発明を実施するための形態について説明する。
弾押し部材（６）の操作部（７）に引っ掛ける突起を設けた器具主体部（１）に、手指にかける紐体（２）を設け、手指にかけた紐体（２）が手指から抜けないように、紐体（２）上を摺動し、駐止位置にて紐体（２）の締め付け固定とその固定の解除が可能な締め付け具（３）を設ける。
ところで、弾押し部材（６）の操作部（７）に引っ掛ける突起を設けた器具主体部（１）に、複数の穿設した貫通孔（４）を設けておくことも可能であり、手指の長さや大きさに合わせて、手指にかける紐体（２）を設ける位置を変更する場合に便利である。
なお、紐体（２）には、紐体（２）上を摺動し、駐止位置にて紐体（２）の締め付け固定とその固定の解除が可能な締め付け具（３）の、紐体（２）からの抜けを防止するために結び目（５）を設けておくとよく、結び目（５）の代りに締め付け具（３）の紐体（２）から抜けを防止するストッパーを取り付けてもよい。
本発明は、以上のような構造である。
これを使用するときは、紐体（２）で、弾押し部材（６）の操作部（７）に引っ掛ける突起を設けた器具主体部（１）が手指から抜けないように、紐体（２）上を摺動し、駐止位置にて紐体（２）の締め付け固定とその固定の解除が可能な締め付け具（３）で手指に締め付けて装着して、弾押し部材（６）の操作部（７）に引っ掛ける突起を設けた器具主体部（１）の突起で、玩具銃の着脱式弾倉（１２）の弾押し部材（６）の操作部（７）を引っ掛けた後に、軽く押さえながら操作部（７）を押し下げていき、弾押し部材（６）をコイルバネ（８）の圧縮限まで移動させた状態で制止・保持し、圧縮限まで移動させた状態における弾押し部材（６）の位置よりも上側の位置に形成された弾丸収納路（９）へ通じる弾丸装填孔（１０）から、弾丸収納路（９）に弾丸（１１）を装填すればよい。
【符号の説明】
【０００９】１  弾押し部材（６）の操作部（７）に引っ掛ける突起を設けた器具主体部
２  手指にかける紐体
３  紐体（２）が手指から抜けないように、紐体（２）上を摺動し、駐止位置にて紐体（    ２）の締め付け固定とその固定の解除が可能な締め付け具
４  貫通孔
５  結び目
６  弾押し部材
７  操作部
８  コイルバネ
９  弾丸収納路
１０  弾丸装填孔
１１  弾丸
１２  脱着式弾倉
【図１】
2017129342.tif 000003
【図２】
2017129342.tif 000004
【図３】
2017129342.tif 000005
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
弾押し部材（６）の操作部（７）に引っ掛ける突起を設けた器具主体部（１）に、手指にかける紐体（２）を設け、手指にかけた紐体（２）が手指から抜けないように、紐体（２）上を摺動し、駐止位置にて紐体（２）の締め付け固定とその固定の解除が可能な締め付け具（３）を設けた、玩具銃の着脱式弾倉（１２）への弾丸の装填を容易にする器具。
【請求項２】
前記弾押し部材（６）の操作部（７）に引っ掛ける突起を設けた器具主体部（１）に、手指の長さや大きさに合わせて、手指にかける紐体（２）の設ける位置を変更するため、複数の穿設した貫通孔（４）を形成した請求項１に記載の玩具銃の着脱式弾倉（１２）への弾丸の装填を容易にする器具。
【請求項３】
弾押し部材（６）の操作部（７）に引っ掛ける突起を設けた器具主体部（１）を、手指に装着する、玩具銃の着脱式弾倉（１２）への弾丸の装填を容易にする器具。